(57)【要約】【課題】モードを切り替える操作をしなくても、機器に対する操作の実行や操作内容の説明の音声出力を機器の使用感を損うことなく実行することができる情報処理方法を提供する。【解決手段】機器に対して行われた操作を検知し、当該操作が検知されたときの機器の状態を検知する。そして、機器の状態がヘルプモードでない場合、検知した操作に対応する動作を実行する。一方、機器の状態がヘルプモードの場合、検知した操作に対応する動作の説明を音声出力し、動作の説明が音声出力された操作に関する情報を例えば、動作バッファ等に記憶し、さらに、機器の状態がヘルプモードの場合、動作バッファに記憶されている操作に関する情報に基づいて、当該操作に対応する動作を実行する。【選択図】  図２
2004302300.tif 000002
【特許請求の範囲】
【請求項１】
機器に対して行われた操作を検知する操作検知工程と、
前記操作検知工程により前記操作が検知されたときの前記機器の状態を検知する状態検知工程と、
前記機器の状態がヘルプモードでない場合、前記操作に対応する動作を実行する第１の実行工程と、
前記機器の状態がヘルプモードの場合、前記操作に対応する動作の説明を音声出力する音声出力工程と、
動作の説明が音声出力された前記操作に関する情報を所定の記憶装置に記憶する記憶工程と、
前記機器の状態がヘルプモードの場合、前記記憶装置に記憶されている前記操作に関する情報に基づいて、該操作に対応する動作を実行する第２の実行工程と
を有することを特徴とする情報処理方法。
【発明の詳細な説明】
【０００１】
【発明の属する技術分野】
本発明は、情報処理機器に対して行われる操作の実行及び当該操作の説明を音声出力する情報処理技術に関する。
【０００２】
【従来の技術】
従来より、各種情報処理機器においては、ヘルプモードといった特定の状態が用意されている。例えば、従来の情報処理装置では、ヘルプモード時にユーザが操作するボタン等の入力装置による操作の説明があらかじめ用意されている。そして、情報処理装置がヘルプモードの場合、ユーザによる入力装置の操作に応じて、操作された入力装置に対応する操作内容の説明をユーザに対して提示することが行われている。
【０００３】
この際、入力装置に対応する操作内容の説明を画面出力によって提示する場合は、操作画面を乱すこととなり、ユーザからは機器の内部状態が変化したように見えてしまう。このことは、ユーザにとって心理的負担となり、情報処理装置の操作感を損ねてしまう原因となる。そこで、従来から、ユーザが操作する入力装置の操作内容の説明を音声出力することによってユーザに提示するという手法が採られている。このように、操作内容の説明を画面出力ではなく音声出力で行うことによって、情報処理装置の操作画面を乱すことがなくなる。従って、ユーザは、機器の内部状態を変更することなく、入力装置の操作内容の説明を知ることができ、情報処理装置に対して良好な操作感を実現することができる。
【０００４】
また、音声による機能説明は、特に、目の不自由なユーザにとっても操作の手助けとなるというメリットがある。
【０００５】
【発明が解決しようとする課題】
しかしながら、上述したような従来の方法には以下に示すような問題点がある。
【０００６】
まず、入力装置による操作内容を説明した後、即座に所望の入力装置の操作内容の実行に移れる方が、ユーザは情報処理装置の使用感が良いと感じるが、従来の情報処理装置では、一旦、ヘルプモードから抜け出さないと操作が実行できないような実装がされていた。従って、従来の情報処理装置では、ヘルプモードと通常モードとをその都度行き来しなくてはならず、情報処理装置の使用感を損うといった問題があった。特に、目の不自由なユーザが使用するという状況を想定した場合にはより一層問題であった。
【０００７】
また、従来の技術を用いることによって、入力装置の操作量や操作回数に応じて、入力装置の説明を行うか、又は入力装置の内容を実行するかを判別することはある程度可能であった。しかし、操作量によって入力装置の操作内容が変わる場合には、入力装置の操作量によって判別する方法は対処することができない。さらに、操作回数によって判別する方法では、入力装置の操作内容の説明を聞き逃した場合に再度聞くことができないという問題があった。
【０００８】
本発明は、このような事情を考慮してなされたものであり、モードを切り替える操作をしなくても、機器に対する操作の実行や操作内容の説明の音声出力を機器の使用感を損うことなく実行することができる情報処理方法を提供することを目的とする。
【０００９】
【課題を解決するための手段】
上記課題を解決するために、本発明に係る情報処理方法は、機器に対して行われた操作を検知する操作検知工程と、
前記操作検知工程により前記操作が検知されたときの前記機器の状態を検知する状態検知工程と、
前記機器の状態がヘルプモードでない場合、前記操作に対応する動作を実行する第１の実行工程と、
前記機器の状態がヘルプモードの場合、前記操作に対応する動作の説明を音声出力する音声出力工程と、
動作の説明が音声出力された前記操作に関する情報を所定の記憶装置に記憶する記憶工程と、
前記機器の状態がヘルプモードの場合、前記記憶装置に記憶されている前記操作に関する情報に基づいて、該操作に対応する動作を実行する第２の実行工程と
を有することを特徴とする。
【００１０】
【発明の実施の形態】
以下、図面を参照して、本発明の実施形態について説明する。
【００１１】
＜第１の実施形態＞
図１は、本発明の第１の実施形態における入力ボタン等の操作内容の説明を音声出力可能な情報処理装置のハードウェア構成を示すブロック図である。すなわち、本実施形態に係る情報処理装置は、以下に詳述するように、ユーザ行ったボタン押下等の操作に対応する動作内容の説明を音声出力することができるとともに、ヘルプモードであってもユーザ行ったボタン押下等の操作により、通常モードに切り替える操作をしなくても情報処理装置に所望の処理を実行させることができるといった機能を備えている。
【００１２】
図１において、１は数値演算・制御等の処理を行う中央処理装置（ＣＰＵ）であり、図２に示される処理手順に従って各種演算処理を行う。２はユーザに対して情報を提示する液晶パネル等の出力装置である。３はタッチパネル、ボタン、テンキー等の入力装置であり、ユーザが本情報処理装置に対する動作指示を与え、或いは情報を入力するためのインタフェースである。入力装置３は、ヘルプボタン３１や実行ボタン３２を含んでいる。また、入力装置３におけるその他のボタン（例えば、リセットボタンやコピーボタン等）については、便宜上、総称して「その他のボタン」３３とする。
【００１３】
４は音声を出力する音声出力装置であり、入力装置３から指示された内容に従って合成された内容の音声を出力する。５はディスク装置や不揮発メモリ等の記憶装置であり、音声合成用辞書５１が含まれている。６は読み取り専用の記憶装置（ＲＯＭ）であり、本実施形態に係る処理手順やその他の固定的データが格納される。７は一時的な情報を保持する記憶装置（ＲＡＭ）であり、一時的なデータや各種フラグ等が保持される。尚、ＲＡＭ７には動作バッファ７１が含まれている。また、上述した中央処理装置１、出力装置２、入力装置３、音声出力装置４、外部記憶装置５、ＲＯＭ６及びＲＡＭ７は、バス８を介して互いに接続されている。
【００１４】
図２は、本発明の第１の実施形態に係る情報処理装置の動作手順を説明するためのフローチャートである。以下、図２に示すフローチャートに即して、本実施形態に係る情報処理装置の動作について説明する。
【００１５】
まず、ユーザが入力装置３を用いて行ったボタン押下等の情報処理装置に対する入力操作を検出する（ボタン押下検出ステップＳ１）。
【００１６】
そして、ボタン押下検出ステップＳ１における入力操作の検出時に、当該情報処理装置が、何らかの音声出力を行っている場合は当該音声出力を中断する（音声合成出力中断ステップＳ２）。そして、次に、当該情報処理装置の動作状態を検出する（機器状態検出ステップＳ３）。
【００１７】
次に、機器状態検出ステップＳ３で検出された動作状態におけるボタン押下検出ステップＳ１で検出されたボタンの種類に対応する動作を取得する（ボタン対応動作取得ステップＳ４）。
【００１８】
次に、機器状態検出ステップＳ３で検出された機器の動作状態がヘルプモードであるか否か判定する（ヘルプモード判定ステップＳ５）。その結果、ヘルプモードであると判定された場合（Ｙｅｓ）は第２ヘルプボタン判定ステップＳ９に処理を移し、ヘルプモードでない場合（Ｎｏ）は第１ヘルプボタン判定ステップＳ６に処理を移す。
【００１９】
ここで、第１ヘルプボタン判定ステップＳ６では、ボタン押下検出ステップＳ１で検出されたボタンがヘルプボタンであるか否かを判定する。その結果、ヘルプボタンであると判定された場合（Ｙｅｓ）はヘルプモード設定ステップＳ７に処理を移し、ヘルプボタンでないと判定された場合（Ｎｏ）はボタン対応動作実行ステップＳ８に処理を移す。
【００２０】
ヘルプモード設定ステップＳ７では、機器の動作状態としてヘルプモードが設定され、ボタン押下検出ステップＳ１に処理が戻る。また、ボタン対応動作実行ステップＳ８では、ボタン対応動作取得ステップＳ４で取得されたボタン対応動作が実行され、その後、ボタン押下検出ステップＳ１に処理が戻る。
【００２１】
すなわち、本実施形態に係る情報処理装置は、機器の状態がヘルプモードではなく検知された操作がヘルプ操作でない場合、当該操作に対応する動作を実行することを特徴とする。尚、ボタン対応動作実行ステップＳ８の処理後、後述するように、当該動作結果を音声出力するようにしてもよい。
【００２２】
例えば、機器の状態がヘルプモードでない場合に、ユーザがリセットボタンを押下した場合は、ボタン押下検出ステップＳ１で当該リセットボタンの押下が検出され、音声合成出力中断ステップＳ２で音声が出力中であれば当該音声の出力が中断され、機器状態検出ステップＳ３でヘルプモードでないことが検出され、ボタン対応動作取得ステップＳ４でボタンの押下がリセット動作の指示であることが取得される。そして、ヘルプモード判定ステップＳ５でＮｏと判定され、第１ヘルプボタン判定ステップＳ６でＮｏと判定され、ボタン対応動作実行ステップＳ８でリセット動作が実行され、次のボタン押下の待ち状態になる。
【００２３】
一方、第２ヘルプボタン判定ステップＳ９では、ボタン押下検出ステップＳ１で検出されたボタンがヘルプボタンであるか否かを判定する。その結果、ヘルプボタンであると判定された場合（Ｙｅｓ）はヘルプモード解除ステップＳ１６に処理を移し、ヘルプボタンでないと判定された場合（Ｎｏ）は実行ボタン判定ステップＳ１０に処理を移す。
【００２４】
実行ボタン判定ステップＳ１０では、ボタン押下検出ステップＳ１で検出されたボタンが実行ボタンであるか否かを判定する。その結果、実行ボタンであると判定された場合（Ｙｅｓ）は動作バッファ内容判定ステップＳ１７に処理を移し、実行ボタンでないと判定された場合（Ｎｏ）はボタン名称取得ステップＳ１１に処理を移す。
【００２５】
ボタン名称取得ステップＳ１１では、機器状態検出ステップＳ３で検出された機器状態におけるボタン押下検出ステップＳ１で検出されたボタンに対応する名称を取得する。次いで、ボタン名称取得ステップＳ１１で取得されたボタンの名称を合成音声で出力する（ボタン名称音声合成出力ステップＳ１２）。
【００２６】
次に、ボタン対応動作取得ステップＳ４で取得された動作に対する説明を取得する（ボタン対応動作説明取得ステップＳ１３）。そして、ボタン対応動作説明取得ステップＳ１３で取得された動作説明を合成音声で出力する（ボタン対応動作説明音声合成出力ステップＳ１４）。すなわち、本実施形態に係る情報処理装置は、機器の状態がヘルプモードであって検知された操作がヘルプ操作ではない場合、当該操作に対応する動作の説明を音声出力することを特徴とする。
【００２７】
次に、ボタン対応動作取得ステップＳ４で取得された動作を動作バッファ７１に記憶し（ボタン対応動作記憶ステップＳ１５）、ボタン押下検出ステップＳ１に処理を戻す。
【００２８】
例えば、機器の状態がヘルプモード時に、ユーザがリセットボタンを押下した場合は、ボタン押下検出ステップＳ１で当該リセットボタンの押下が検出され、音声合成出力中断ステップＳ２で音声が出力中であれば当該音声の出力が中断され、機器状態検出ステップＳ３でヘルプモードであることが検出され、ボタン対応動作取得ステップＳ４でボタンの押下がリセット動作の指示であることが取得される。そして、ヘルプモード判定ステップＳ５でＹｅｓと判定され、第２ヘルプボタン判定ステップＳ９でＮｏと判定され、実行ボタン判定ステップＳ１０でＮｏと判定される。
【００２９】
次いで、ボタン名称取得ステップＳ１１で「リセットボタン」の名称が取得され、当該ボタンの名称がボタン名称音声合成出力ステップＳ１２で音声出力される。図３は、ボタン名称音声合成出力ステップＳ１２において出力される音声内容の一例を示す図である。例えば、ボタン名称としてリセットボタンが取得された場合は、音声出力装置４から「リセットボタンは」という音声が出力される。尚、本実施形態では、音声合成出力は非同期的に実施されることを想定している。従って、ボタン名称音声合成出力ステップＳ１２では、ボタン名称の合成音声出力の終了を待たずに、次のボタン対応動作説明取得ステップＳ１３に処理を進める。すなわち、本実施形態において音声合成出力中断ステップＳ２が必要とされるのはこのためである。また、本実施形態では、音声規則合成（テキスト音声合成）を想定しているが、録音再生方式によっても同様にして実施が可能である。
【００３０】
ボタン名称音声合成出力ステップＳ１２でボタンの名称が音声出力された後、ボタン対応動作説明取得ステップＳ１３でリセット動作に関する説明が取得される。そして、ボタン対応動作説明音声合成出力ステップＳ１４でリセット動作に関する説明が音声出力される。図４は、ボタン対応動作説明音声合成出力ステップＳ１４における出力内容の一例を示す図である。例えば、音声出力装置４からは、前述の「リセットボタンは」の音声に続いて、「今までの設定内容を全て消去します」という音声が出力される。その後、ボタン対応動作記憶ステップＳ１５でリセット動作に関する情報を動作バッファ７１に記憶し、次のボタン押下を待つ。
【００３１】
尚、本実施形態では、次のボタンとして再度リセットボタンが押下された場合を含め、ヘルプボタン３１や実行ボタン３２ではないその他のボタン３３が押下された場合は上記処理が押下された分だけ繰り返し実行されることになる。
【００３２】
一方、第２ヘルプボタン判定ステップＳ９でヘルプボタンであると判定された場合（Ｙｅｓ）、機器状態として設定されたヘルプモードを解除し、動作バッファ消去ステップＳ２１に処理を移す（ヘルプモード解除ステップＳ１６）。
【００３３】
また、実行ボタン判定ステップＳ１０で実行ボタンであると判定された場合（Ｙｅｓ）、動作バッファ７１の内容が空であるか否かが判定される（動作バッファ内容判定ステップＳ１７）。その結果、動作バッファ７１が空であると判定された場合（Ｙｅｓ）はボタン名称取得ステップＳ１１に処理を移し、空でないと判定された場合（Ｎｏ）はバッファ内動作実行ステップＳ１８に処理を移す。
【００３４】
バッファ内動作実行ステップＳ１８では、ボタン対応動作記憶ステップＳ１５において動作バッファ７１に記録された動作を実行する。そして、バッファ内動作実行ステップＳ１８で実行された動作に対応する動作結果の説明を取得する（動作結果説明取得ステップＳ１９）。さらに、動作結果説明取得ステップＳ１９で取得された動作結果の説明を合成音声で出力する（動作結果説明音声合成出力ステップＳ２０）。
【００３５】
そして、ヘルプモード解除ステップＳ１６又は動作結果説明音声合成出力ステップＳ２０の処理後、動作バッファ７１の内容を空にし（動作バッファ消去ステップＳ２１）、ボタン押下検出ステップＳ１に処理を戻す。
【００３６】
例えば、機器の状態がヘルプモード時に、ユーザが上述したようにまずリセットボタンを押下し、次いで実行ボタン３２を押下した場合は、ボタン押下検出ステップＳ１で当該実行ボタン３２の押下が検出され、音声合成出力中断ステップＳ２で音声が出力中であれば当該音声の出力が中断され、機器状態検出ステップＳ３でヘルプモードであることが検出され、ボタン対応動作取得ステップＳ４でボタンの押下が実行の指示であることが取得される。そして、ヘルプモード判定ステップＳ５でＹｅｓと判定され、第２ヘルプボタン判定ステップＳ９でＮｏと判定され、実行ボタン判定ステップＳ１０でＹｅｓと判定される。
【００３７】
次いで、動作バッファ内容判定ステップＳ１７でＮｏと判定され、バッファ内動作実行ステップＳ１８でリセット動作が実行される。さらに、動作結果説明取得ステップＳ１９でリセット結果の説明が取得され、動作結果説明音声合成出力ステップＳ２０で当該結果の説明が音声出力される。図５は、動作結果説明音声合成出力ステップＳ２０で出力される音声内容の一例を示す図である。例えば、音声出力装置４からは、「設定内容を全て消去しました」という音声が出力される。その後、動作バッファ消去ステップＳ２１で動作バッファ７１を空にし、次のボタン押下を待つ。
【００３８】
上述したように、本実施形態に係る情報処理装置は、機器に対して行われた操作を検知し、当該操作が検知されたときの機器の状態を検知し、当該機器の状態がヘルプモードでない場合、検知した操作に対応する動作を実行する。一方、当該機器の状態がヘルプモードの場合、検知した操作に対応する動作の説明を音声出力し、動作の説明が音声出力された操作に関する情報を所定の記憶装置（例えば、動作バッファ７１）に記憶し、さらに、機器の状態がヘルプモードの場合、当該記憶装置に記憶されている操作に関する情報に基づいて、当該操作に対応する動作を実行することを特徴とする。
【００３９】
また、上記情報処理装置は、さらに、機器に対して行われた第２の操作を検知し、第２の操作が検知されたときの機器の状態を検知する。そして、検知された機器の状態がヘルプモードの場合、記憶装置に記憶されている操作に関する情報に対応する動作を実行することを特徴とする。
【００４０】
さらに、上記情報処理装置は、機器の状態がヘルプモードであって検知された操作がヘルプ操作の場合、当該機器の状態をヘルプモードから解除する。また、機器の状態がヘルプモードではなく検知された操作がヘルプ操作の場合、当該機器の状態をヘルプモードに設定することを特徴とする。
【００４１】
以上説明したように、本実施形態に係る情報処理装置によれば、機器状態がヘルプモードであっても、直前に説明を聞いた操作を実行することが可能となり使用感が向上する。また、操作量によって異なる動作をとる入力形態であっても、従来の情報処理装置のように問題が生じることはない。さらに、入力の名称を聞いた段階で次の操作に移ることが可能となったので、特に目の不自由なユーザにとって使用感が高いという効果が得られる。
【００４２】
＜第２の実施形態＞
本実施形態では、上述した第１の実施形態における情報処理装置の構成及び動作に加えて、同しボタンの説明を連続して聞く場合に二度目以降に出力される合成音声の音質等を変えるようにした情報処理装置について説明する。合成音声の変化させるものとして、例えば、音量、発声速度等の韻律或いは声質等が挙げられる。尚、以下では、一例として二度目以降に音量及び発声速度を変化させる場合の実施形態について説明する。
【００４３】
図６は、本発明の第２の実施形態に係る情報処理装置の動作手順を説明するためのフローチャートの一部である。図６に示すフローチャートは、図２に示すフローチャートにおける実行ボタン判定ステップＳ１０とボタン名称取得ステップＳ１１との間に、新たにステップＳ１０１〜Ｓ１０５を加えたものとなっている。すなわち、他の動作については図２に示すフローチャートと同様である。
【００４４】
まず、実行ボタン判定ステップＳ１０で実行ボタンでないと判定された場合（Ｎｏ）、本実施形態では、ボタン対応動作取得ステップＳ４で取得された動作と動作バッファ７１に保持されている動作とを比較して、両者が同じ動作であるか否かを判定する（ボタン対応動作バッファ照合ステップＳ１０１）。その結果、ボタン対応動作取得ステップＳ４で取得された動作と動作バッファ７１に保持されている動作とが等しい場合（Ｙｅｓ）、音量増加ステップＳ１０２に処理を移す。一方、ボタン対応動作取得ステップＳ４で取得された動作と動作バッファ７１に保持されている動作とが等しくない場合（Ｎｏ）、音量標準値設定ステップＳ１０４に処理を移す。
【００４５】
音量増加ステップＳ１０２では、音声合成出力の際の音量の設定値を大きくする。具体的には、直前の設定値から相対的に増大させても良いし、「大音量」として定められた特定の値に設定しても良い。次いで、音声合成出力の際の発声速度の設定値を遅くする（発声速度低下ステップＳ１０３）。具体的には、直前の設定値から相対的に遅くしても良いし、「低速」として定められた特定の値に設定しても良い。そして、発声速度低下ステップＳ１０３の後、ボタン名称取得ステップＳ１１に処理を移す。
【００４６】
一方、音量標準値設定ステップＳ１０４では、音声合成出力の際の音量を標準値に設定する。次いで、音声合成出力の際の発声速度を標準値に設定する（発声速度標準値設定ステップＳ１０５）。そして、発声速度標準値設定ステップＳ１０５の後、ボタン名称取得ステップＳ１１に処理を移す。
【００４７】
上述した変更以外にも、声質を変更する場合には、音声合成に用いる辞書の変更や声質変換フィルタを用いることにより声質の変換が可能である。また、録音再生方式で音量以外の音質を変更するには、異なる再生データを用いることとなる。
【００４８】
すなわち、本実施形態に係る情報処理装置は、前述した第１の実施形態に係る情報処理装置と比較して、さらに、機器に対して同一操作が連続して行われたか否かを判定し、同一操作が連続して行われた場合、出力される音声の音質を直前に出力された音声と変更することを特徴とする。
【００４９】
以上説明したように、本実施形態によれば、入力装置に対する説明を聞き逃したとしても、再度同じ入力を行えば再び説明を聞くことが可能となる。また、その際には、ユーザがより確実に認識できるように、音量を増大する等の処理が可能である。
【００５０】
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００５１】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５２】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５３】
本発明を上記記録媒体に適用する場合、その記録媒体には、先に説明したフローチャートに対応するプログラムコードが格納されることになる。
【００５４】
【発明の効果】
モードを切り替える操作をしなくても、機器に対する操作の実行や操作内容の説明の音声出力を機器の使用感を損うことなく実行することができる。
【図面の簡単な説明】
【図１】本発明の第１の実施形態における入力ボタン等の操作内容の説明を音声出力可能な情報処理装置のハードウェア構成を示すブロック図である。
【図２】本発明の第１の実施形態に係る情報処理装置の動作手順を説明するためのフローチャートである。
【図３】ボタン名称音声合成出力ステップＳ１２において出力される音声内容の一例を示す図である。
【図４】ボタン対応動作説明音声合成出力ステップＳ１４における出力内容の一例を示す図である。
【図５】動作結果説明音声合成出力ステップＳ２０で出力される音声内容の一例を示す図である。
【図６】本発明の第２の実施形態に係る情報処理装置の動作手順を説明するためのフローチャートの一部である。
【図１】
2004302300.tif 000003
【図２】
2004302300.tif 000004
【図３】
2004302300.tif 000005
【図４】
2004302300.tif 000006
【図５】
2004302300.tif 000007
【図６】
2004302300.tif 000008